(57)【特許請求の範囲】
【請求項１】
無線基地局が、複数の移動局に対して、緊急情報を通知する緊急情報通知方法であって、
前記移動局が、所定インディケータを検出した場合に、所定識別子を含む物理下り制御チャネルの監視を開始する工程Ａと、
前記移動局が、前記物理下り制御チャネルを検出した場合に、該物理下り制御チャネルによって指定される下りリソースにおいて、前記緊急情報を受信する工程Ｂと、
前記移動局が、受信した前記緊急情報に対応する処理を行う工程Ｃとを有することを特徴とする緊急情報通知方法。
【請求項２】
無線基地局によって送信された緊急情報を受信するように構成されている移動局であって、
所定インディケータを検出した場合に、所定識別子を含む物理下り制御チャネルの監視を開始し、該物理下り制御チャネルを検出した場合に、該物理下り制御チャネルによって指定される下りリソースにおいて、前記緊急情報を受信するように構成されている緊急情報受信部と、
受信した前記緊急情報に対応する処理を行うように構成されている処理部とを具備することを特徴とする移動局。
【請求項３】
前記移動局が、待ち受け状態、もしくは通信状態である場合には、前記緊急情報受信部は、ページングメッセージにおいて、前記所定インディケータを検出した場合に、前記物理下り制御チャネルの監視を開始するように構成されていることを特徴とする請求項２に記載の移動局。
【請求項４】
前記移動局が、待ち受け状態、もしくは通信状態である場合には、前記緊急情報受信部は、ページング識別子を含む物理下り制御チャネルを介して前記所定インディケータを受信した場合に、前記物理下り制御チャネルの監視を開始するように構成されていることを特徴とする請求項２に記載の移動局。
【請求項５】
前記緊急情報受信部は、所定物理下り制御チャネルを介して前記所定インディケータを受信した場合に、前記物理下り制御チャネルの監視を開始するように構成されていることを特徴とする請求項２に記載の移動局。
【請求項６】
複数の移動局に対して、緊急情報を送信するように構成されている無線基地局であって、
前記緊急情報の発生を検知した場合に、前記複数の移動局に対して、所定インディケータを通知すると共に、所定識別子を含む物理下り制御チャネルによって指定した下りリソースを介して、前記緊急情報を送信するように構成されている緊急情報送信部を具備することを特徴とする無線基地局。
【請求項７】
待ち受け状態、もしくは通信状態である前記移動局に対しては、前記緊急情報送信部は、ページングメッセージ内で前記所定インディケータを送信するように構成されていることを特徴とする請求項６に記載の無線基地局。
【請求項８】
待ち受け状態、もしくは通信状態である前記移動局に対しては、前記緊急情報送信部は、ページング識別子を含む物理下り制御チャネルを介して前記所定インディケータを送信するように構成されていることを特徴とする請求項６に記載の無線基地局。
【請求項９】
前記緊急情報送信部は、所定物理下り制御チャネルを介して前記所定インディケータを送信するように構成されていることを特徴とする請求項６に記載の無線基地局。
【発明の詳細な説明】
【技術分野】
【０００１】
本発明は、無線基地局が複数の移動局に対して報知チャネルを介して変更期間内において複数種類のシステム情報を繰り返し送信するように構成されている移動通信システムにおいて緊急情報を送信する緊急情報通知方法、移動局及び無線基地局に関する。
【背景技術】
【０００２】
従来、複数の移動局に対して緊急情報を送信するためのシステムとして、「ＥＴＷＳ（Ｅａｒｔｈｑｕａｋｅ  Ｔｕｎａｍｉ  Ｗａｒｎｉｎｇ  Ｓｙｓｔｅｍ）」や「ＰＷＳ（Ｐｕｂｌｉｃ  Ｗａｒｎｉｎｇ  Ｓｙｓｔｅｍ）」等が知られている。
【０００３】
かかる「ＥＴＷＳ/ＰＷＳ」において、報知チャネル（ＢＣＣＨ：Ｂｒｏａｄｃａｓｔ  Ｃｏｎｔｒｏｌ  Ｃｈａｎｎｅｌ）上のＳＩＢ（Ｓｙｓｔｅｍ  Ｉｎｆｏｒｍａｔｉｏｎ  Ｂｌｏｃｋ）を用いて、複数の移動局に対して、緊急情報を送信することが検討されている。
【非特許文献１】３ＧＰＰ  ＴＳ２３.２７２  Ｖ１.０.０、２００８年３月
【発明の開示】
【発明が解決しようとする課題】
【０００４】
しかしながら、従来の「ＥＴＷＳ/ＰＷＳ」では、無線基地局が、変更期間（ＭＰ：Ｍｏｄｉｆｉｃａｔｉｏｎ  Ｐｅｒｉｏｄ）内において、複数種類のシステム情報（ＳＩＢ１-８）を繰り返し送信するように構成されているため、無線基地局は、緊急情報の発生を検知した場合であっても、現在の変更期間ＭＰ（ｎ）では、かかる緊急情報を通知することができず、次の変更期間ＭＰ（ｎ＋１）が開始するまで、かかる緊急情報を送信することができないという問題点があった。
【０００５】
そこで、本発明は、上述の課題に鑑みてなされたものであり、緊急情報の発生を検知した場合に、できるだけ早く複数の移動局に対して送信することができる緊急情報通知方法、移動局及び無線基地局を提供することを目的とする。
【課題を解決するための手段】
【０００６】
本発明の第１の特徴は、無線基地局が、複数の移動局に対して、緊急情報を通知する緊急情報通知方法であって、前記移動局が、所定インディケータを検出した場合に、所定識別子を含む物理下り制御チャネルの監視を開始する工程Ａと、前記移動局が、前記物理下り制御チャネルを検出した場合に、該物理下り制御チャネルによって指定される下りリソースにおいて、前記緊急情報を受信する工程Ｂと、前記移動局が、受信した前記緊急情報に対応する処理を行う工程Ｃとを有することを要旨とする。
【０００７】
本発明の第２の特徴は、無線基地局によって送信された緊急情報を受信するように構成されている移動局であって、所定インディケータを検出した場合に、所定識別子を含む物理下り制御チャネルの監視を開始し、該物理下り制御チャネルを検出した場合に、該物理下り制御チャネルによって指定される下りリソースにおいて、前記緊急情報を受信するように構成されている緊急情報受信部と、受信した前記緊急情報に対応する処理を行うように構成されている処理部とを具備することを要旨とする。
【０００８】
本発明の第２の特徴において、前記移動局が、待ち受け状態、もしくは通信状態である場合には、前記緊急情報受信部は、ページングメッセージにおいて、前記所定インディケータを検出した場合に、前記物理下り制御チャネルの監視を開始するように構成されていてもよい。
【０００９】
本発明の第２の特徴において、前記移動局が、待ち受け状態、もしくは通信状態である場合には、前記緊急情報受信部は、ページング識別子を含む物理下り制御チャネルを介して前記所定インディケータを受信した場合に、前記物理下り制御チャネルの監視を開始するように構成されていてもよい。
【００１０】
本発明の第２の特徴において、前記緊急情報受信部は、所定物理下り制御チャネルを介して前記所定インディケータを受信した場合に、前記物理下り制御チャネルの監視を開始するように構成されていてもよい。
【００１１】
本発明の第３の特徴は、複数の移動局に対して、緊急情報を送信するように構成されている無線基地局であって、前記緊急情報の発生を検知した場合に、前記複数の移動局に対して、所定インディケータを通知すると共に、所定識別子を含む物理下り制御チャネルによって指定した下りリソースを介して、前記緊急情報を送信するように構成されている緊急情報送信部を具備することを要旨とする。
【００１２】
本発明の第３の特徴において、待ち受け状態、もしくは通信状態である前記移動局に対しては、前記緊急情報送信部は、ページングメッセージ内で前記所定インディケータを送信するように構成されていてもよい。
【００１３】
本発明の第３の特徴において、待ち受け状態、もしくは通信状態である前記移動局に対しては、前記緊急情報送信部は、ページング識別子を含む物理下り制御チャネルを介して前記所定インディケータを送信するように構成されていてもよい。
【００１４】
本発明の第３の特徴において、前記緊急情報送信部は、所定物理下り制御チャネルを介して前記所定インディケータを送信するように構成されていてもよい。
【発明の効果】
【００１５】
以上説明したように、本発明によれば、緊急情報の発生を検知した場合に、できるだけ早く複数の移動局に対して送信することができる緊急情報通知方法、移動局及び無線基地局を提供することができる。
【発明を実施するための最良の形態】
【００１６】
（本発明の第１の実施形態に係る移動通信システムの構成）
図１乃至図７を参照して、本発明の第１の実施形態に係る移動通信システムの構成について説明する。
【００１７】
図１に示すように、本実施形態に係る移動通信システムでは、無線基地局ｅＮＢが、複数の移動局ＵＥに対して、共通トラフィックチャネルＣＴＣＨ（Ｃｏｍｍｎｏｎ  Ｔｒａｆｆｉｃ  Ｃｈａｎｎｅｌ）を介して、緊急情報を送信するように構成されている。
【００１８】
図２に示すように、無線基地局ｅＮＢは、緊急情報受信部１１と、緊急情報送信部１２とを具備している。
【００１９】
緊急情報受信部１１は、緊急情報通知システムから送信された緊急情報を受信するように構成されている、すなわち、緊急情報の発生を検知するように構成されている。
【００２０】
緊急情報送信部１２は、複数の移動局ＵＥに対して、かかる共通トラフィックチャネルＣＴＣＨを介して、緊急情報を送信するように構成されている。
【００２１】
具体的には、緊急情報送信部１２は、緊急情報受信部１１によって緊急情報が受信された場合、すなわち、緊急情報受信部１１によって緊急情報の発生が検知された場合に、複数の移動局に対して、所定インディケータ（ＥＷＴＳ/ＰＷＳ  Ｉｎｄｉｃａｔｏｒ）を通知すると共に、所定識別子（ＥＷＴＳ/ＰＷＳ-ＲＮＴＩ）を含む物理下り制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）によって指定した下りリソース（ＰＤＳＣＨ：Ｐｈｙｓｉｃａｌ  Ｄｏｗｎｌｉｎｋ  Ｓｈａｒｅｄ  Ｃｈａｎｎｅｌ上のＣＴＣＨ）を介して、緊急情報を送信するように構成されている。
【００２２】
図３に示すように、移動局ＵＥは、緊急情報受信部２１と、処理部２２とを具備している。
【００２３】
緊急情報受信部２１は、無線基地局ｅＮＢによって共通トラフィックチャネルＣＴＣＨを介して送信された緊急情報を受信するように構成されている。
【００２４】
具体的には、緊急情報受信部２１は、所定インディケータ（ＥＷＴＳ/ＰＷＳ  Ｉｎｄｉｃａｔｏｒ）を検出した場合に、所定識別子（ＥＷＴＳ/ＰＷＳ-ＲＮＴＩ）を含む物理下り制御チャネル（ＰＤＣＣＨ）の監視を開始し、かかる物理下り制御チャネル（ＰＤＣＣＨ）を検出した場合に、かかる物理下り制御チャネル（ＰＤＣＣＨ）によって指定される下りリソース（ＰＤＳＣＨ上のＣＴＣＨ）において、緊急情報を受信するように構成されている。
【００２５】
ここで、移動局ＵＥが、待ち受け状態（Ｉｄｌｅ状態）、もしくは無線リンク確立状態（ＲＲＣ＿Ｃｏｎｎｅｃｔｅｄ状態、即ち通信状態）である場合には、緊急情報受信部２１は、ページングメッセージにおいて、所定インディケータ（ＥＷＴＳ/ＰＷＳ  Ｉｎｄｉｃａｔｏｒ）を検出した場合に、所定識別子（ＥＷＴＳ/ＰＷＳ-ＲＮＴＩ）を含む物理下り制御チャネル（ＰＤＣＣＨ）の監視を開始するように構成されていてもよい。
【００２６】
図４に示すように、ページングメッセージは、Ｐ-ＲＮＴＩを含むＰＤＣＣＨ（Ｐｈｙｓｉｃａｌ  Ｄｏｗｎｌｉｎｋ  Ｃｏｎｔｒｏｌ  Ｃｈａｎｎｅｌ）に対応するＰＤＳＣＨ（Ｐｈｙｓｉｃａｌ  Ｄｏｗｎｌｉｎｋ  Ｓｈａｒｅｄ  Ｃｈａｎｎｅｌ）によって送信される。
【００２７】
例えば、所定インディケータ（ＥＷＴＳ/ＰＷＳ  Ｉｎｄｉｃａｔｏｒ）は、緊急情報の有無を通知するための１ビットのインディケータであったり、Ｐｒｉｍａｒｙ Ｎｏｔｉｆｉｃａｔｉｏｎ（緊急情報を最初に通知する短い情報で、移動局で鳴動のためなどに用いられる）である。
すなわち、無線基地局ｅＮＢの緊急情報送信部１２は、待ち受け状態（Ｉｄｌｅ状態）、もしくは無線リンク確立状態（ＲＲＣ＿Ｃｏｎｎｅｃｔｅｄ状態）である移動局ＵＥに対しては、ページングメッセージ内で所定インディケータ（ＥＷＴＳ/ＰＷＳ  Ｉｎｄｉｃａｔｏｒ）を送信するように構成されていてもよい。
【００２８】
また、移動局ＵＥが、待ち受け状態（Ｉｄｌｅ状態）、もしくは無線リンク確立状態（ＲＲＣ＿Ｃｏｎｎｅｃｔｅｄ状態）である場合には、緊急情報受信部２１は、ページング識別子を含む物理下り制御チャネルを介して所定インディケータ（ＥＷＴＳ/ＰＷＳ  Ｉｎｄｉｃａｔｏｒ）を受信した場合、すなわち、かかる所定インディケータを検出した場合に、所定識別子（ＥＷＴＳ/ＰＷＳ-ＲＮＴＩ）を含む物理下り制御チャネル（ＰＤＣＣＨ）の監視を開始するように構成されていてもよい。
【００２９】
図５に示すように、緊急情報受信部２１は、Ｐ−ＲＮＴＩ（Ｐａｇｉｎｇ−ＲＮＴＩ）を含むＰＤＣＣＨ（所定物理下り制御チャネル）を介して所定インディケータ（ＥＷＴＳ/ＰＷＳ  Ｉｎｄｉｃａｔｏｒ）を受信した場合に、すなわち、かかる所定インディケータを検出した場合に、所定識別子（ＥＷＴＳ/ＰＷＳ-ＲＮＴＩ）を含む物理下り制御チャネル（ＰＤＣＣＨ）の監視を開始するように構成されていてもよい。
【００３０】
例えば、所定インディケータ（ＥＷＴＳ/ＰＷＳ  Ｉｎｄｉｃａｔｏｒ）は、緊急情報の有無を通知するための１ビットのインディケータであったり、Ｐｒｉｍａｒｙ Ｎｏｔｉｆｉｃａｔｉｏｎ（緊急情報を最初に通知する短い情報で、移動局で鳴動のためなどに用いられる）である。
【００３１】
すなわち、無線基地局ｅＮＢの緊急情報送信部１２は、待ち受け状態（Ｉｄｌｅ状態）及び無線リンク確立状態（ＲＲＣ_Ｃｏｎｎｅｃｔｅｄ状態）である移動局ＵＥに対して、Ｐ-ＲＮＴＩ（Ｓｙｓｔｅｍ  Ｃｈａｎｇｅ-ＲＮＴＩ、所定識別子）を含むＰＤＣＣＨ（所定物理下り制御チャネル）を介して所定インディケータ（ＥＷＴＳ/ＰＷＳ  Ｉｎｄｉｃａｔｏｒ）を送信するように構成されていてもよい。
【００３２】
また、移動局ＵＥが、無線リンク確立状態（ＲＲＣ_Ｃｏｎｎｅｃｔｅｄ状態）或いは待ち受け状態（Ｉｄｌｅ状態）である場合には、図６に示すように、緊急情報受信部２１は、ＳＣ-ＲＮＴＩ（Ｓｙｓｔｅｍ  Ｃｈａｎｇｅ-ＲＮＴＩ、所定識別子）を含むＰＤＣＣＨ（所定物理下り制御チャネル）を介して所定インディケータ（ＥＷＴＳ/ＰＷＳ  Ｉｎｄｉｃａｔｏｒ）を検出した場合に、所定識別子（ＥＷＴＳ/ＰＷＳ-ＲＮＴＩ）を含む物理下り制御チャネル（ＰＤＣＣＨ）の監視を開始するように構成されていてもよい。
【００３３】
例えば、所定インディケータ（ＥＷＴＳ/ＰＷＳ  Ｉｎｄｉｃａｔｏｒ）は、緊急情報の有無を通知するための１ビットのインディケータであったり、Ｐｒｉｍａｒｙ Ｎｏｔｉｆｉｃａｔｉｏｎ（緊急情報を最初に通知する短い情報で、移動局で鳴動のためなどに用いられる）である。
【００３４】
すなわち、無線基地局ｅＮＢの緊急情報送信部１２は、待ち受け状態（Ｉｄｌｅ状態）及び無線リンク確立状態（ＲＲＣ_Ｃｏｎｎｅｃｔｅｄ状態）である移動局ＵＥに対して、ＳＣ-ＲＮＴＩ（Ｓｙｓｔｅｍ  Ｃｈａｎｇｅ-ＲＮＴＩ、所定識別子）を含むＰＤＣＣＨ（所定物理下り制御チャネル）を介して所定インディケータ（ＥＷＴＳ/ＰＷＳ  Ｉｎｄｉｃａｔｏｒ）を送信するように構成されていてもよい。
【００３５】
図７に示すように、緊急情報は、所定識別子（ＥＷＴＳ/ＰＷＳ-ＲＮＴＩ）を含む物理下り制御チャネル（ＰＤＣＣＨ）によって指定されている下りリソース（ＰＤＳＣＨ上のＣＴＣＨ）によって送信される。
【００３６】
処理部２２は、受信した緊急情報通知情報によって通知された緊急情報に対応する処理を行うように構成されている。
【００３７】
例えば、処理部２２は、緊急情報に対応する処理として、当該緊急情報に対応するアラームを出力してもよいし、当該緊急情報に対応する文字情報又は画像情報をディスプレイに表示してもよい。
【００３８】
（本発明の第１の実施形態に係る移動通信システムの動作）
図８を参照して、本発明の第１の実施形態に係る移動局の動作について説明する。
【００３９】
図８に示すように、ステップＳ１０１において、移動局ＵＥが、ＥＷＴＳ/ＰＷＳ  Ｉｎｄｉｃａｔｏｒを検出する。
【００４０】
ステップＳ１０２において、移動局ＵＥが、ＥＷＴＳ/ＰＷＳ-ＲＮＴＩを含む物理下り制御チャネル（ＰＤＣＣＨ）の監視を開始する。
【００４１】
ステップＳ１０３において、移動局ＵＥが、ＥＷＴＳ/ＰＷＳ-ＲＮＴＩを含む物理下り制御チャネル（ＰＤＣＣＨ）を検出する。
【００４２】
ステップＳ１０４において、移動局ＵＥが、かかる物理下り制御チャネル（ＰＤＣＣＨ）によって指定される下りリソース（ＰＤＳＣＨ上のＣＴＣＨ）において、緊急情報を受信し、かかる緊急情報に対応する処理（例えば、アラームやディスプレイ表示等）を行う。
【００４３】
（本発明の第１の実施形態に係る移動通信システムの作用・効果）
本発明の第１の実施形態に係る移動通信システムによれば、移動局ＵＥは、所定インディケータ（ＥＷＴＳ/ＰＷＳ  Ｉｎｄｉｃａｔｏｒ）を検出した場合に、ＥＷＴＳ/ＰＷＳ-ＲＮＴＩを含む物理下り制御チャネル（ＰＤＣＣＨ）の監視を開始し、ＥＷＴＳ/ＰＷＳ-ＲＮＴＩを含む物理下り制御チャネル（ＰＤＣＣＨ）を検出した場合に、かかる物理下り制御チャネル（ＰＤＣＣＨ）によって指定される下りリソース（ＰＤＳＣＨ上のＣＴＣＨ）において緊急情報を受信するように構成されているため、発生した緊急情報を可及的速やかに複数の移動局ＵＥに対して通知することができる。
【００４４】
（変更例）
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００４５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００４６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００４７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００４８】
【図１】本発明の第１の実施形態に係る移動通信システムの全体構成図である。
【図２】本発明の第１の実施形態に係る無線基地局の機能ブロック図である。
【図３】本発明の第１の実施形態に係る移動局の機能ブロック図である。
【図４】本発明の第１の実施形態に係る無線基地局によって送信される「ＥＴＷＳ/ＰＷＳ  Ｉｎｄｉｃａｔｏｒ」の一例を示す図である。
【図５】本発明の第１の実施形態に係る無線基地局によって送信される「ＥＴＷＳ/ＰＷＳ  Ｉｎｄｉｃａｔｏｒ」の一例を示す図である。
【図６】本発明の第１の実施形態に係る無線基地局によって送信される「ＥＴＷＳ/ＰＷＳ  Ｉｎｄｉｃａｔｏｒ」の一例を示す図である。
【図７】本発明の第１の実施形態に係る無線基地局によって送信される「ＥＴＷＳ/ＰＷＳ-ＲＮＴＩ」を含むＰＤＣＣＨの一例を示す図である。
【図８】本発明の第１の実施形態に係る移動局の動作を示すフローチャートである。
【符号の説明】
【００４９】
ｅＮＢ…無線基地局
１１、２１…緊急情報受信部
１２…緊急情報送信部
ＵＥ…移動局
２２…処理部
【図１】
0005122359.tif 000002
【図２】
0005122359.tif 000003
【図３】
0005122359.tif 000004
【図４】
0005122359.tif 000005
【図５】
0005122359.tif 000006
【図６】
0005122359.tif 000007
【図７】
0005122359.tif 000008
【図８】
0005122359.tif 000009